(57)【要約】【課題】  本発明は、ケーブルの接続元および接続先を特定できるコネクタケーブルの管理装置の提供を目的とする。【解決手段】  本発明のコネクタケーブルの管理装置は、接続される接続元の情報と接続先の情報とを紐づけして記憶する記憶部、長手方向の全域に識別コードが付与されたケーブルと、前記ケーブルの一端に連結された接続元との、連結状態の画像情報を取得する画像取得部、前記画像情報から、前記接続元を特定し、前記ケーブルの識別コードを抽出する、画像解析部、前記特定した接続元の情報に紐付けされた接続先の情報を、前記ケーブルの他端を連結させる接続先として選択する選択部、および、前記選択した接続先の情報を出力する出力部を含み、前記記憶部は、前記接続元の情報および前記接続先の情報に、前記抽出した識別コードを紐づけして記憶することを特徴とする。【選択図】  図１
2019174956.tif 000002
【特許請求の範囲】
【請求項１】
接続される接続元の情報と接続先の情報とを紐づけして記憶する記憶部、
長手方向の全域に識別コードが付与されたケーブルと、前記ケーブルの一端に連結された接続元との、連結状態の画像情報を取得する画像取得部、
前記画像情報から、前記接続元を特定し、前記ケーブルの識別コードを抽出する、画像解析部、
前記特定した接続元の情報に紐付けされた前記接続先の情報を、前記ケーブルの他端を連結させる接続先として選択する選択部、および、
前記選択した接続先の情報を出力する出力部を含み、
前記記憶部は、前記接続元の情報および前記接続先の情報に、前記抽出した識別コードを紐づけして記憶する
ことを特徴とするコネクタケーブルの管理装置。
【請求項２】
前記画像取得部は、長手方向の全域に識別コードが付与された任意のケーブルの画像情報を取得し、
前記画像解析部は、前記画像情報から、前記ケーブルの識別コードを抽出し、
前記選択部は、前記抽出した識別コードが紐づけされた前記接続元の情報および前記接続先の情報の少なくとも一方を選択し、
前記出力部は、前記選択した接続元の情報および前記選択した接続先の情報の少なくとも一方を出力する、請求項１記載のコネクタケーブルの管理装置。
【請求項３】
さらに、判定部を含み、
前記画像取得部は、長手方向の全域に識別コードが付与された任意のケーブルの画像情報を取得し、
前記画像解析部は、前記画像情報から、前記ケーブルの識別コードを抽出し、
前記判定部は、前記抽出した識別コードが、特定のケーブルの識別コードか否かを判定し、
前記出力部は、前記抽出した識別コードが、前記特定のケーブルの識別コードである場合、前記画像のケーブルが、前記特定のケーブルであることを示す情報を出力する、請求項１または２記載の管理装置。
【請求項４】
前記出力部は、前記抽出した識別コードが、前記特定のケーブルの識別コードではない場合、前記特定のケーブルではないことを示すアラート情報を出力する、請求項３記載の管理装置。
【請求項５】
請求項１から４のいずれか一項に記載のコネクタケーブルの管理装置と、端末とを含み、
前記管理装置と前記端末とは、通信回線網を介して接続可能であり、
前記管理装置において、
前記出力部は、前記端末へ情報を送信する送信部であり、
前記端末は、
受信部と、表示部とを含み、
前記受信部は、前記管理装置から情報を受信し、
前記表示部は、前記受信した情報を表示することを特徴する管理システム。
【請求項６】
接続される接続元の情報と接続先の情報とを紐づけして記憶する記憶工程、
長手方向の全域に識別コードが付与されたケーブルと、前記ケーブルの一端に連結された接続元との、連結状態の画像情報を取得する画像取得工程、
前記画像情報から、前記接続元を特定し、前記ケーブルの識別コードを抽出する、画像解析工程、
前記特定した接続元の情報に紐づけされた前記接続先の情報を、前記ケーブルの他端を連結させる接続先として選択する選択工程、および、
前記選択した接続先の情報を出力する出力工程を含み、
前記記憶工程は、前記接続元の情報および前記接続先の情報に、前記抽出した識別コードを紐づけして記憶する
ことを特徴とするコネクタケーブルの管理方法。
【請求項７】
前記画像取得工程は、長手方向の全域に識別コードが付与された任意のケーブルの画像情報を取得し、
前記画像解析工程は、前記画像情報から、前記ケーブルの識別コードを抽出し、
前記選択工程は、前記抽出した識別コードが紐づけされた前記接続元の情報および前記接続先の情報の少なくとも一方を選択し、
前記出力工程は、前記選択した接続元の情報および前記選択した接続先の情報の少なくとも一方を出力する、請求項６記載のコネクタケーブルの管理方法。
【請求項８】
さらに、判定工程を含み、
前記画像取得工程は、長手方向の全域に識別コードが付与された任意のケーブルの画像情報を取得し、
前記画像解析工程は、前記画像情報から、前記ケーブルの識別コードを抽出し、
前記判定工程は、前記抽出した識別コードが、特定のケーブルの識別コードか否かを判定し、
前記出力工程は、前記抽出した識別コードが、前記特定のケーブルの識別コードである場合、前記画像のケーブルが、前記特定のケーブルであることを示す情報を出力する、請求項６または７記載の管理方法。
【請求項９】
請求項６から８のいずれか一項に記載のコネクタケーブルの管理方法をコンピュータに実行させることを特徴とするプログラム。
【請求項１０】
ケーブル部と一対の端子とを備え、
前記ケーブル部の両端に、それぞれ前記端子が連結し、
前記ケーブル部の長手方向の全域に、画像により識別可能な識別コードを有することを特徴とするコネクタケーブル。
【発明の詳細な説明】
【技術分野】
【０００１】
本発明は、コネクタケーブルの管理装置、管理システム、コネクタケーブルの管理方法、プログラム、およびコネクタケーブルに関する。
【背景技術】
【０００２】
サービス業、ＩＴ産業、製造業等、あらゆる分野において、コンピュータ化は必要不可欠となっており、大型のサーバルームも一般的になっている。前記サーバルームには、多数のサーバが収容されており、通常、管理アプリケーションを備える管理サーバによってそれぞれ、管理されている。前記管理サーバは、ネットワークを介して前記管理対象サーバと接続されており、前記管理対象サーバから様々な情報を入手している。前記サーバルームにおいては、各機器同士を接続するケーブルが大量に存在する。
【０００３】
前記ケーブルのそれぞれを識別し、且つ、接続先（例えば、サーバ）と接続元（例えば、ストレージ）を明らかにするために、通常、前記ケーブルの両端に、タグが張り付けられている。しかしながら、大量のケーブルのそれぞれにタグをつけ、前記タグに、接続元と接続先とを記載し、結線図を作成することは、手間がかかる。
【０００４】
作業者の目視により、結線した大量のケーブルから、目的のケーブルを見つけ出すことは、極めて困難であり、手間がかかる。また、目視のミスを減らすため、前記タグにバーコード等を利用しても、バーコードの角度や、他のケーブルでタグが隠れている場合等に、読み取りが困難となる。
【発明の概要】
【発明が解決しようとする課題】
【０００５】
そこで、本発明は、例えば、より簡便に、ケーブルと、前記ケーブルの接続元および接続先を特定できるコネクタケーブルの管理装置、管理システム、管理方法、コネクタケーブルの提供を目的とする。
【課題を解決するための手段】
【０００６】
前記目的を達成するために、本発明のコネクタケーブルの管理装置は、
接続される接続元の情報と接続先の情報とを紐づけして記憶する記憶部、
長手方向の全域に識別コードが付与されたケーブルと、前記ケーブルの一端に連結された接続元との、連結状態の画像情報を取得する画像取得部、
前記画像情報から、前記接続元を特定し、前記ケーブルの識別コードを抽出する、画像解析部、
前記特定した接続元の情報に紐付けされた前記接続先の情報を、前記ケーブルの他端を連結させる接続先として選択する選択部、および、
前記選択した接続先の情報を出力する出力部を含み、
前記記憶部は、前記接続元の情報および前記接続先の情報に、前記抽出した識別コードを紐づけして記憶する
ことを特徴とする。
【０００７】
本発明のコネクタケーブルの管理システムは、
前記本発明のコネクタケーブルの管理装置と、端末とを含み、
前記管理装置と前記端末とは、通信回線網を介して接続可能であり、
前記管理装置において、
前記出力部は、前記端末へ情報を送信する送信部であり、
前記端末は、
受信部と、表示部とを含み、
前記受信部は、前記管理装置から情報を受信し、
前記表示部は、前記受信した情報を表示することを特徴する。
【０００８】
本発明のコネクタケーブルの管理方法は、
接続される接続元の情報と接続先の情報とを紐づけして記憶する記憶工程、
長手方向の全域に識別コードが付与されたケーブルと、前記ケーブルの一端に連結された接続元との、連結状態の画像情報を取得する画像取得工程、
前記画像情報から、前記接続元を特定し、前記ケーブルの識別コードを抽出する、画像解析工程、
前記特定した接続元の情報に紐づけされた前記接続先の情報を、前記ケーブルの他端を連結させる接続先として選択する選択工程、および、
前記選択した接続先の情報を出力する出力工程を含み、
前記記憶工程は、前記接続元の情報および前記接続先の情報に、前記抽出した識別コードを紐づけして記憶する
ことを特徴とする。
【０００９】
本発明のプログラムは、前記本発明のコネクタケーブルの管理方法をコンピュータに実行させることを特徴とする。
【００１０】
本発明のコネクタケーブルは、
ケーブル部と一対の端子とを備え、
前記ケーブル部の両端に、それぞれ前記端子が連結し、
前記ケーブル部の長手方向の全域に、画像により識別可能な識別コードを有することを特徴とする。
【発明の効果】
【００１１】
本発明によれば、例えば、長手方向の全域に識別コードが付与されたケーブルの画像を利用することによって、より簡便に、ケーブルと、前記ケーブルの接続元および接続先を特定できる。このため、例えば、現場において、作業者が一本一本ケーブルをつかみ、手繰り寄せていくことで、接続先を確認する等の労力を回避できる。
【図面の簡単な説明】
【００１２】
【図１】図１は、実施形態１のコネクタケーブルの管理装置の一例を示すブロック図である。
【図２】図２は、実施形態１のコネクタケーブルの管理装置のハードウエア構成の一例を示すブロック図である。
【図３】図３は、複数の接続元と複数の接続先とが、複数のコネクタケーブルにより接続されている状態を示す概略図である。
【図４】図４は、実施形態１のコネクタケーブルの管理システムの一例を示すブロック図である。
【図５】図５は、実施形態１のコネクタケーブルの管理方法の一例を示すフローチャートである。
【図６】図６は、実施形態２のコネクタケーブルの管理方法の一例を示すフローチャートである。
【図７】図７は、実施形態２のコネクタケーブルの管理装置の変形例を示すブロック図である。
【図８】図８は、実施形態２のコネクタケーブルの管理方法の変形例を示すフローチャートである。
【図９】図９は、実施形態４のコネクタケーブルにおける、表面の識別コードの一例を示す概略図である。
【発明を実施するための形態】
【００１３】
本発明の実施形態について説明する。なお、本発明は、以下の実施形態には限定されない。なお、以下の各図において、同一部分には、同一符号を付している。また、各実施形態の説明は、特に言及がない限り、互いの説明を援用できる。さらに、各実施形態の構成は、特に言及がない限り、組合せ可能である。
【００１４】
［実施形態１］
本発明のコネクタケーブルの管理装置、管理システムおよび管理方法の一例について、図を用いて説明する。
【００１５】
図１は、本実施形態の管理装置の一例を示すブロック図である。管理装置１は、記憶部１１、画像取得部１２、画像解析部１３、選択部１４、出力部１５を含む。管理装置１は、例えば、管理システム１ともいう。管理装置１は、例えば、前記各部を含む１つの管理装置でもよいし、前記各部が、通信回線網等を介して接続可能な管理装置であってもよい。
【００１６】
図２に、管理装置１のハードウエア構成のブロック図を例示する。管理装置１は、例えば、記憶装置１０１、ＣＰＵ（中央処理装置）１０２、入出力インターフェイス（Ｉ／Ｆ）１０３、ディスプレイ１０４、通信デバイス１０５等を有する。Ｉ／Ｆ１０３および記憶装置１０１は、例えば、通信バスによって、ＣＰＵ１０２に接続されている。Ｉ／Ｆ１０３には、例えば、ディスプレイ１０４、通信デバイス１０５、入力装置、ドライブ等が接続されている。
【００１７】
記憶装置１０１は、例えば、メインメモリのＲＡＭ（ランダムアクセスメモリ）、ＲＯＭ（読み出し専用メモリ）、ＨＤＤ（ハードディスクドライブ）、ＨＤ（ハードディスク）等であり、例えば、ＲＯＭには、動作プログラムが格納されている。記憶装置１０１は、例えば、内蔵型でも、外付け型でもよい。記憶装置１０１には、例えば、Ｉ／Ｆ１０３を介して入力された情報、すなわち、後述する、接続元情報１１１、接続先情報１１２、ケーブル情報１１３等が格納される。また、記憶装置１０１には、その他に、例えば、画像取得部１２により取得した画像情報、画像解析部１３により取得した情報、選択部１４により取得した情報等も格納できる。
【００１８】
ＣＰＵ１０２は、管理装置１の全体の制御を担う。管理装置１において、ＣＰＵ１０２により、例えば、本発明のプログラムやその他のプログラムが実行され、また、各種情報の読み込みや書き込みが行われる。具体的に、管理装置１は、例えば、ＣＰＵ１０２が、画像取得部１２、画像解析部１３、選択部１４として機能する。
【００１９】
Ｉ／Ｆ１０３は、例えば、通信デバイス１０５を通じて、通信回線網に接続でき、それを介して、外部の機器と接続できる。ディスプレイ１０４は、例えば、ＬＥＤディスプレイ、液晶ディスプレイ等である。管理装置１において、例えば、Ｉ／Ｆ１０３により、情報の出力が行われる。情報の出力先は、例えば、ディスプレイ１０４や、外部の機器である。前者の場合、管理装置１は、例えば、Ｉ／Ｆ１０３が、出力部１５として機能する。後者の場合、例えば、通信デバイス１０５を介して、前記外部の機器に出力され、管理装置１は、例えば、Ｉ／Ｆ１０３および通信デバイス１０５が、出力部１５として機能する。前記外部の機器は、例えば、後述する端末があげられる。
【００２０】
前記入力装置は、例えば、キーボード、マウス、タッチパネル等である。前記ドライブは、例えば、リムーバブル記録媒体用のドライブであり、前記リムーバブル記録媒体は、例えば、ＦＤ（フロッピー（登録商標）ディスク）、ＣＤ−ＲＯＭ、ＣＤ−Ｒ、ＣＤ−ＲＷ、ＭＯ、ＤＶＤ、フラッシュメモリー、メモリーカード等である。
【００２１】
管理装置１は、例えば、複数の接続元と複数の接続先とが存在し、且つ、それらを互いに、コネクタケーブルによって接続する場合に利用できる。このような状態の概略を図３に示す。図３に示すように、複数の接続元（２０Ａ、２０Ｂ、２０Ｃ、２０Ｄ）と、複数の接続先（２１Ａ、２１Ｂ、２１Ｃ、２１Ｄ）とを有する場合、それぞれが、複数のコネクタケーブル（２２Ａ、２２Ｂ、２２Ｃ、２２Ｄ）により連結される。以下、管理装置１、前記管理システムおよび管理方法について、図３に示す状態を例にあげて説明する。
【００２２】
前記接続元および前記接続先は、特に制限されず、例えば、サーバ、ストレージ、パソコン（ＰＣ）、電源等の種々の機器があげられる。前記接続元および前記接続先において、前記コネクタケーブルが連結される部位は、例えば、ポートである。また、前記コネクタケーブルは、例えば、ケーブル部と一対の端子とを備え、前記ケーブル部の両端に、それぞれ前記端子が連結し、前記ケーブル部の長手方向の全域に、画像により識別可能な識別コードを有するものを例示としてあげる。前記コネクタケーブルは、前記長手方向の全域に識別コードを有するため、例えば、前記コネクタケーブルの一端から他端までのいずれの場所について、部分的な画像を取得しても、前記画像の画像情報から、前記識別コードを識別可能である。前記コネクタケーブルについては、後述する。
【００２３】
管理装置１において、記憶部１１は、接続される接続元の情報と接続先の情報とを紐づけして記憶する。図３に示すように、データセンター等の作業場には、複数の接続元２０と複数の接続先２１が存在し、通常、コネクタケーブル２２によって接続される接続元２０と接続先２１との組み合わせは、任意に設定される。そこで、記憶部１１には、接続元２０の情報と接続先２１の情報とが、任意の組合せで、紐付けされて記憶される。前記接続元の情報および前記接続先の情報は、例えば、識別情報（例えば、ＩＤ等）、位置情報、コネクタケーブル２２と連結する端子（例えば、メス端子またはオス端子）周辺の画像情報等である。前記位置情報は、例えば、収容されている施設、部屋、部屋における位置等である。前記画像情報は、例えば、画像そのものでもよいし、前記画像の内容を表すパラメータ等の情報でもよい（以下、同様）。
【００２４】
画像取得部１２は、長手方向の全域に識別コードが付与されたケーブルと、前記ケーブルの一端に連結された接続元との、連結状態の画像情報を取得する。前記画像情報は、例えば、管理装置１により撮像された画像の画像情報でもよいし、管理装置１とは別の外部機器により撮像された画像の画像情報でもよく、好ましくは後者である。前者の場合、管理装置１は、例えば、画像取得部１２として撮像部を有する。また、後者の場合、管理装置１は、例えば、前記外部機器から、前述したＩ／Ｆ１０３等を介して入力した前記画像情報を、画像取得部１２により取得すればよい。前記外部機器は、特に制限されず、例えば、後述するような端末があげられる。
【００２５】
画像解析部１３は、前記画像情報から、前記接続元を特定し、また、前記ケーブルの識別コードを抽出する。画像解析部１３は、例えば、画像解析装置であり、前述のように、例えば、ＣＰＵにより実行される。
【００２６】
前記画像情報からの前記接続元の特定方法は、特に制限されず、例えば、取得した前記画像情報と、記憶部１１に記憶された前記接続元情報とを対比させることで、前記画像情報の接続元が、記憶部１１に記憶されたいずれの接続元であるかを特定できる。具体例としては、例えば、前記取得した画像情報（Ｘ）と、記憶部１１に記憶された前記接続元情報に含まれる前記端子周辺の画像情報（Ｙ）とを対比させることで、前記画像情報（Ｘ）の接続元が、記憶部１１に記憶されたいずれの接続元であるかを特定できる。この他にも、例えば、画像情報による前記接続元の特定には、例えば、前記接続元に付された識別情報を利用することもできる。前記接続元の装置の表面には、通常、シリアル番号等の識別情報が付されている。このため、前記識別情報の画像を取得することで、前記装置を特定ができる。さらに、前記画像における識別情報から、前記装置を特定できれば、例えば、その装置のハードウエア仕様との照合により、前記画像から、前記装置のコネクタを識別することもできる。
【００２７】
前記画像情報からの前記識別コードの抽出方法は、特に制限されず、例えば、一般的な方法が採用できる。前述のように、前記ケーブルは、長手方向の全域に、画像により識別可能な識別コードを有しており、前記識別コードは、特に制限されず、例えば、一般的な識別コードであり、バーコード、パターンコード等である。このため、画像解析部１３によれば、前記画像情報から、前記接続元に連結された前記ケーブルの識別コードを抽出できる。この際、記憶部１１は、例えば、予め、前記接続元と前記接続先との接続に使用される、使用前の複数の前記ケーブルについて、ケーブル情報を記憶してもよい。前記ケーブル情報は、例えば、識別情報であり、具体的には、例えば、前記ケーブルのＩＤおよび前記ケーブルに付された前記識別コードがあげられ、記憶部１１において、前記ＩＤと前記識別コードとが紐付けされていることが好ましい。そして、例えば、取得した前記画像情報（Ｘ）と、記憶部１１に記憶された前記ケーブル情報（Ｚ）に含まれる前記識別コードとを対比させ、前記画像情報（Ｘ）において、対応する識別コードが検出された場合、それを識別コードとして抽出できる。
【００２８】
複数のケーブルが重なり合っている場合、前記画像において、前記ケーブルの識別コードが部分的に隠れている場合がある。この場合でも、前記ケーブルは、画像により識別可能な識別コードが長手方向の全域に付与されていることから、例えば、部分マッチングによっても、識別コードを抽出することができる。この場合、例えば、画像解析部１３は、取得した前記画像情報（Ｘ）と、前記ケーブル情報（Ｚ）に含まれる前記識別コードとを対比させ、例えば、識別できた相対的な度合い（相対的な識別度ともいう）を算出してもよい。相対的な識別度とは、例えば、完全に同一であると識別した場合の識別度を１００％として、相対的に算出することができる。そして、取得した前記画像情報（Ｘ）について、例えば、最も大きい識別度を示した前記識別コードを、前記画像におけるケーブルの識別コードとして抽出してもよい。
【００２９】
選択部１４は、前記特定した接続元の情報に紐付けされた接続先の情報を、前記ケーブルの他端を連結させる接続先として選択する。選択部１４は、例えば、前述のように、例えば、ＣＰＵにより実行される。
【００３０】
出力部１５は、前記選択した接続先の情報を出力する。出力部１５による出力は、例えば、管理装置１内での出力でもよいし、管理装置１外への出力でもよい。前者の場合、位管理装置１は、例えば、さらに、表示部（例えば、ディスプレイ１０４）を備え、出力部１５は、前記表示部に出力してもよい。後者の場合、管理装置１の出力部１５は、例えば、外部機器（端末）へ送信（出力）でもよい。この場合、管理装置１と前記外部機器とは、例えば、通信回線網を介して接続可能である。前記通信回線網は、特に制限されず、公知の通信回線網を使用でき、具体的には、例えば、インターネット回線、電話回線、ＬＡＮ（Local  Area  Network）、ＷｉＦｉ（Wireless  Fidelity）、BlueTooth（登録商標）等があげられる。前記通信回線網は、例えば、無線でもよく、有線でもよく、好ましくは無線である。
【００３１】
本実施形態の管理システムは、例えば、図４のブロック図に示すように、通信回線網３を介して接続可能な、管理装置１と端末４とを含んでもよい。本実施形態の管理システムにおいて、管理装置１は、端末４に、前記情報を送信し、端末４は、管理装置１からの前記情報を受信する。端末４は、例えば、表示部（例えば、ディスプレイ）を有し、管理装置１からの前記情報を前記表示部に表示できる。端末４としては、例えば、ポータブルデバイス等があげられ、具体例として、スマートフォン、タブレット、携帯電話、ウェアラブルデバイス等が利用できる。前記ウェアラブルデバイスは、例えば、腕時計型、眼鏡型、指輪型、靴型、懐中型、ペンダント型等があげられる。前記眼鏡型は、例えば、ゴーグル、ヘッドセット等があげられる。図４において、端末４は、一例として、ゴーグル４１およびスマートフォン４２の形態を示したが、これには制限されない。端末４は、例えば、作業者が両手で作業する場合、ゴーグル４１等の前記ウェアラブルデバイスが好ましく、具体的には、ＭＲゴーグル、ＡＲゴーグル、ＶＲゴーグル等のゴーグル、ＭＲヘッドセット、ＡＲヘッドセット、ＶＲヘッドセット等のヘッドセットが好ましい。また、前述ように、前記連結状態の画像を、管理装置１ではなく、前記外部機器により撮像し、その画像情報を、管理装置１に送信して、管理装置１が前記画像情報を取得する場合、端末４が、前記外部機器を兼ねてもよい。この場合、端末４は、例えば、さらに、撮像部を有し、前記撮像部は、例えば、カメラである。
【００３２】
また、前述した記憶部１１は、前記接続元の情報および前記接続先の情報に、さらに、前記抽出した識別コードを紐づけして記憶する。具体的には、画像解析部１３で特定された前記接続元の情報と、選択部１４で選択した前記接続先の情報とに、さらに、画像解析部１３で抽出した前記ケーブルの識別コードを、紐づけして記憶する。記憶部１１が、前述のように、使用前の複数の前記ケーブルについて、前記ケーブル情報を記憶している場合、前記抽出した識別コードを含むケーブル情報を、紐づけして記憶してもよい。
【００３３】
つぎに、本実施形態の管理方法について、図５のフローチャートを用いて説明する。本実施形態の管理方法は、例えば、図１および図２に示す管理装置１、ならびに、図４に示す前記管理システムを用いて、次のように実施する。なお、本実施形態の管理方法は、図１および図２の管理装置１、ならびに、図４の前記管理システムの使用には限定されない。
【００３４】
まず、記憶部１１は、接続される接続元の情報と接続先の情報とを紐づけして記憶する（Ｓ１００）。
【００３５】
つぎに、画像取得部１２は、前記ケーブルと、前記ケーブルの一端に連結された接続元との、連結状態の画像情報を取得する（Ｓ１０１）。前記ケーブルと前記接続元との連結は、通常、作業員が行う。このため、例えば、作業員が、前記接続元に前記ケーブルを連結した際、携帯する端末４により、前記連結状態を撮像し、その画像情報を、通信回線網３を介して、管理装置１に送信してもよい。このようにして、管理装置１の画像取得部１２は、前記画像情報を取得することもできる。これには制限されず、管理装置１が、画像取得部１２として撮像部を有し、前記撮像部での撮像により、前記画像情報を取得してもよい。
【００３６】
そして、画像解析部１３は、前記画像情報から、前記接続元の特定（Ｓ１０２）と、前記ケーブルの識別コードの抽出を行う（Ｓ１０５）。
【００３７】
画像解析部１３は、前記接続元を特定すると（Ｓ１０２）、つぎに、前記特定した接続元の情報に紐づけされた前記接続先の情報を、前記ケーブルの他端を連結させる接続先として選択する（Ｓ１０３）。前記工程（Ｓ１００）において、前述のように、接続元と接続先との組み合わせは、予め記憶されているため、前記画像情報の解析によって、前記画像における前記接続元が特定されれば、前記特定した接続元に紐づけされた接続先が、前記ケーブルに連結させる他端の接続先であると決定できる。
【００３８】
そして、出力部１５は、前記選択した接続先の情報を出力する（Ｓ１０４）。前述のように、例えば、前記作業員が、端末４を有する場合、端末４の前記表示部に、前記接続先の情報を出力すれば、前記作業員は、端末４の前記表示部に表示された情報に従って、前記ケーブルの他端を、前記表示された接続先に連結することができる。
【００３９】
他方、画像解析部１３は、前記画像情報から、前記ケーブルの識別コードの抽出を行うと（Ｓ１０５）、つぎに、前記工程（Ｓ１０２）で特定された接続元の情報と、それに紐づけされた前記接続先の情報に、さらに、前記抽出した識別コードを、紐づけして記憶する（Ｓ１０６）。紐づけされた前記接続元の情報、前記接続先の情報、および前記抽出した識別コードは、例えば、結線データとして記憶してもよい。
【００４０】
このように、本実施形態の管理方法によれば、前記接続元に一端が連結された前記ケーブルについて、その他端を連結させる接続先を出力し、さらに、前記接続元と前記接続先との接続に使用された前記ケーブルを、その識別コードによって管理できる。
【００４１】
特に、本発明は、例えば、作業場において作業員が、情報を得ながら作業をする場合に有用であることから、前記画像情報の取得から出力までを、リアルタイムで行うことが好ましい。このため、端末４が、前述のように、前記撮像部と前記表示部とを有し、端末４と管理装置１との間で、通信回線網によって、情報を送受信できる形態が好ましい。この形態によれば、作業者が携帯する端末４から前記画像情報を送信し、それを管理装置１が受信して各部により処理を行い、その結果を示す情報を、端末４に送信し、それを受信した端末４が、前記表示部に表示することができる。このため、作業員が、リアルタイムで、スムーズに作業を行うことができる。
【００４２】
［実施形態２］
本実施形態の管理装置、管理システムおよび管理方法によれば、さらに、前記ケーブルによって前記接続元と前記接続先とを接続した後、前記ケーブルと前記接続元と前記接続先とについて、以下のような管理も可能になる。
【００４３】
（変形例１）
図３に示すように、複数のケーブル２２が存在し、それぞれが、接続元２０と接続先２１とを連結している状況において、前記作業員が、作業中に、あるケーブルについて、それが連結している接続元と接続先とを知る必要がでてくる場合がある。具体例として、作業員が、作業中に、例えば、目視によりケーブルの劣化を見つけた場合等である。この場合、例えば、前記ケーブルを交換するには、前記ケーブルについて、その接続元および接続先との連結を解除しなければならない。しかし、作業員は、前記ケーブルについて接続元と接続先とを知るには、前記ケーブルを手繰り寄せながら、前記ケーブルの末端にまで移動し、前記接続元および接続先の連結部から、前記ケーブルの両端の端子を抜かなければならない。これに対して、本変形例によれば、前記作業員が、前記ケーブルを手繰り寄せることで前記接続元および前記接続先にたどり着く、というような手間をかけることなく、前記接続元と前記接続先とを選択することができる。
【００４４】
本変形例において、画像取得部１２は、任意のケーブル、すなわち、長手方向の全域に識別コードが付与された任意のケーブルの画像情報を取得し、画像解析部１３は、前記画像情報から、前記ケーブルの識別コードを抽出し、選択部１４は、前記抽出した識別コードが紐づけされた前記接続元の情報および前記接続先の情報の少なくとも一方を選択し、出力部１５は、前記選択した接続元の情報および前記選択した接続先の情報の少なくとも一方を出力する。
【００４５】
具体的に、本変形例１の管理装置、管理システムを用いた管理方法について、図６のフローチャートを用いて説明する。図６のフローチャートは、例えば、前記図５のフローチャートにおける前記工程（Ｓ１０６）に続くフローチャートである。
【００４６】
まず、本変形例１は、前記実施形態１における図５のフローチャートに示す工程を経ることによって、記憶部１１には、前記接続元の情報と、前記接続先の情報と、それらを連結した前記ケーブルの情報とが紐づけして記憶されている（Ｓ１０６）。
【００４７】
つぎに、画像取得部１２は、いずれかの接続元２０といずれかの接続先２１とを連結する任意のケーブル２２の画像情報を取得する（Ｓ２００）。前述のように、例えば、前記作業員が、端末４を有する場合、任意のケーブル２２の任意の部位を撮像し、その画像情報を、通信回線網３を介して、管理装置１に送信してもよい。このようにして、管理装置１の画像取得部１２は、前記画像情報を取得することもできる。任意のケーブル２２を撮像する場合、作業者は、例えば、ケーブル２２を撮像する角度を変えたり、複数のケーブル２２が重なっている場合には、ケーブル２２をばらしてから、撮像してもよい。
【００４８】
そして、画像解析部１３は、前記画像情報から、前記ケーブルの識別コードの抽出を行う（Ｓ２０１）。前記識別コードの抽出は、前述と同様である。
【００４９】
画像解析部１３が、前記画像情報から、前記ケーブルの識別コードの抽出を行うと（Ｓ２０１）、つぎに、前記抽出された識別コードが紐づけされた前記接続元の情報および前記接続先の情報の少なくとも一方を選択する（Ｓ２０２）。前述のように、前記工程（Ｓ１０６）において、前記接続元の情報と、前記接続先の情報と、それらを接続する前記ケーブルの識別コードとは、紐づけして、記憶部１１に記憶されている。したがって、前記工程（Ｓ２０１）で抽出した識別コードについて、記憶部１１において、同じ識別コードが紐づけされている前記接続元の情報と前記接続先の情報とを選択すればよい。これらの選択された前記接続元の情報および前記接続先の情報が、前記工程（Ｓ２０１）で抽出した識別コードを有する前記ケーブルが連結している前記接続元と前記接続先である。
【００５０】
そして、出力部１５が、前記選択した接続元の情報および前記接続先の情報を出力する（Ｓ２０３）。前記工程（Ｓ２０３）は、例えば、紐づけされた前記接続元の情報、前記接続先の情報、および前記抽出した識別コードを、結線データとして出力してもよい。前述のように、例えば、作業員が、端末４を有する場合、前記ケーブルを介して接続されている前記接続元の情報と前記接続先の情報とを、端末４の表示部に表示することができる。
【００５１】
（変形例２）
図３に示すように、複数のケーブル２２が存在し、それぞれが、接続元２０と接続先２１とを連結している状況において、前記作業員が、作業中に、ある接続元２０と接続先２１とを連結しているケーブル２２を知る必要がでてくる場合がある。具体例として、接続元２０と接続先２１との接続状態に不具合があり、ケーブル２２の劣化が原因と考えられる場合等である。この場合、例えば、前記ケーブルを交換するには、作業員が、特定の接続元２０に出向き、その連結部に連結されているケーブル２２をつかみ、ケーブル２２の一端を前記連結部から抜き、ケーブル２２を手繰り寄せて、他方の接続先２１にまで近づき、その連結部に連結されているケーブル２２の他端を抜かなければならない。これに対して、本変形例２によれば、例えば、前記作業員が前記ケーブルを手繰り寄せるというような手間をかけることなく、特定の前記接続元と前記接続先とを連結するケーブルを判別することができる。
【００５２】
本変形例において、前記管理装置は、例えば、さらに、判定部１６を含む。本変形例２の管理装置２のブロック図の一例を、図７に示す。管理装置２は、記憶部１１、画像取得部１２、画像解析部１３、選択部１４、出力部１５を含み、さらに、判定部１６を含む。管理装置２は、例えば、管理システム２ともいう。管理装置２は、例えば、前記各部を含む１つの管理装置でもよいし、前記各部が、通信回線網等を介して接続可能な管理装置であってもよい。管理装置２は、判定部１６を含む以外は、特に制限されず、前述した管理装置１と同様である。
【００５３】
本変形例において、画像取得部１２は、長手方向の全域に識別コードが付与された任意のケーブルの画像情報を取得し、画像解析部１３は、前記画像情報から、前記ケーブルの識別コードを抽出し、判定部１６は、前記抽出した識別コードが、特定のケーブルの識別コードか否かを判定し、出力部１５は、前記抽出した識別コードが、前記特定のケーブルの識別コードである場合、前記画像のケーブルが、前記特定のケーブルであることを示す情報を出力する。本変形例２における管理装置２および管理システムは、判定部１６を有する以外は、前記実施形態１における図１および図２の管理装置１、ならびに、図４の管理システムと同様である。管理装置２において、例えば、図２におけるＣＰＵ１０２が、判定部１６として機能する。
【００５４】
具体的に、本変形例２の管理装置２、管理システムを用いた管理方法について、図８のフローチャートを用いて説明する。図８のフローチャートは、例えば、前記図５のフローチャートにおける前記工程（Ｓ１０６）に続くフローチャートである。
【００５５】
まず、本変形例２は、前記実施形態１における図５のフローチャートに示す工程を経ることによって、記憶部１１には、前記接続元の情報と、前記接続先の情報と、それらを連結した前記ケーブルの情報とが紐づけして記憶されている（Ｓ１０６）。そして、本変形例２においては、探し出したい特定のケーブルが予め設定されており、具体的には、探し出したい特定のケーブルの識別コードが設定されている。
【００５６】
つぎに、画像取得部１２は、いずれかの接続元２０といずれかの接続先２１とを連結する任意のケーブル２２の画像情報を取得する（Ｓ３００）。前述のように、例えば、前記作業員が、端末４を有する場合、任意のケーブル２２の任意の部位を撮像し、その画像情報を、通信回線網３を介して、管理装置２に送信してもよい。このようにして、管理装置２の画像取得部１２は、前記画像情報を取得することもできる。
【００５７】
そして、画像解析部１３は、前記画像情報から、前記ケーブルの識別コードの抽出を行う（Ｓ３０１）。前記識別コードの抽出は、前述と同様である。
【００５８】
画像解析部１３が、前記画像情報から、前記ケーブルの識別コードの抽出を行うと（Ｓ３０１）、判定部１６は、前記抽出された識別コードが、前記設定された特定のケーブルの識別コードか否かを判定する（Ｓ３０２）。つまり、前記工程（Ｓ３０１）で抽出した識別コードが、前記特定のケーブルの識別コードであれば、前記画像に撮像されたケーブルが、前記特定のケーブルであると判断でき、前記工程（Ｓ３０１）で抽出した識別コードが、前記特定のケーブルの識別コードと異なれば、前記画像に撮像されたケーブルが、前記特定のケーブルではないと判断できる。
【００５９】
そして、前記抽出した識別コードが、前記特定のケーブルの識別コードである場合（ＹＥＳ）、出力部１５は、前記画像のケーブルが、前記特定のケーブルであることを示す情報を出力する（Ｓ３０３）。この際、前記工程（Ｓ３０１）において、前述のように、相対的な識別度を求めた場合、前記情報は、例えば、相対的な識別度であってもよいし、相対的な識別度を示す色情報であってもよい。前記色情報の場合、例えば、相対的に識別度が高い程、濃い色、相対的に識別度が低い程、薄い色としてもよい。そして、前記画像のケーブルに、例えば、前記色情報を紐づけてもよい。
【００６０】
一方、前記抽出した識別コードが、前記特定のケーブルの識別コードでない場合（ＮＯ）、前記画像のケーブルが、前記特定のケーブルでないこと示す情報を出力し（Ｓ３０４）、さらに、前記工程（Ｓ３００）から前記工程（Ｓ３０２）を繰り返し行う。前記抽出した識別コードが、前記特定のケーブルの識別コードでない場合（ＮＯ）、出力する情報は、例えば、前記特定のケーブルではないことを示すアラート情報でもよい。前記アラート情報は、例えば、取り違えを防止するための警告表示の情報でもよいし、警告音声の情報でもよい。
【００６１】
前述のように、例えば、作業員が、端末４を有する場合、端末４の表示部に、前記画像のケーブルが、前記特定のケーブルであるか否かを表示できるため、作業員は、例えば、リアルタイムで、目的のケーブルを探し出すことができる。特に、本変形例２は、目的とする特定のケーブルを探し出すため、端末４として、例えば、前述のゴーグルのようなウェアラブルデバイスを使用することが、リアルタイムでの作業効率の向上の面から、特に好ましい。
【００６２】
端末４の表示部には、例えば、前記ケーブルを撮像した画像を表示し、前記画像における前記ケーブルの該当箇所に、特定のケーブルであること、特定のケーブルではないことを表示することもでき、前記表示は、例えば、前述のような色情報であってもよい。このように、前記表示部に、撮像した画像を表示し、その上に、さらに、情報を乗せることで、より簡便な作業が可能となる。
【００６３】
［実施形態３］
本実施形態のプログラムは、前記各実施形態の管理方法を、コンピュータ上で実行可能なプログラムである。または、本実施形態のプログラムは、例えば、コンピュータ読み取り可能な記録媒体に記録されてもよい。前記記録媒体としては、特に限定されず、例えば、読み出し専用メモリ（ＲＯＭ）、ハードディスク（ＨＤ）、光ディスク、フロッピー（登録商標）ディスク（ＦＤ）等があげられる。
【００６４】
［実施形態４］
本実施形態は、本発明のコネクタケーブルについて例示する。本発明のコネクタケーブルは、例えば、前述のような、本発明の管理装置、管理システムおよび管理方法への利用に適している。
【００６５】
本発明のコネクタケーブルは、前述のように、ケーブル部と一対の端子とを備え、前記ケーブル部の両端に、それぞれ前記端子が連結し、前記ケーブル部の長手方向の全域に、画像により識別可能な識別コードを有することを特徴とする。本発明のコネクタケーブルは、例えば、前述のような、前記接続元と前記接続先とを接続できるものであればよく、その種類等は、特に制限されない。
【００６６】
本発明のコネクタケーブルとしては、例えば、電源ケーブル、ＬＡＮケーブル等があげられる。
【００６７】
本発明のコネクタケーブルは、前述のように、前記ケーブル部の長手方向の全域に前記識別コードを有している。前記長手方向の全域に前記識別コードを有しているとは、前記ケーブル部の一端から他端に向う方向において、例えば、連続的または非連続的に前記識別コードを有していることを意味する。前記ケーブル部は、長手方向の全域に前記識別コードを有していればよく、その周方向の表面においては、全域に前記識別コードを有してもよいし、有さなくてもよい。すなわち、前記ケーブル部の一端から他端において、例えば、いずれかの部位の画像を撮像する際、その部位の周方向の表面のいずれかに識別コードを有していればよい。前述のように、作業者が作業中に前記ケーブルを撮像できるため、例えば、複数のケーブルが重なることによって、任意のケーブルの識別コードが撮像しにくい状況にあっても、作業者が、重なり合うケーブルをずらして任意のケーブルについて、長手方向に設けられた識別コードを露出させることで、識別コードを含む画像を、撮像可能である。
【００６８】
前記識別コードの種類は、特に制限されず、例えば、バーコード、パターンコード等である。
【００６９】
前記識別コードがバーコードの場合、例えば、前記ケーブル部の表面において、前記長手方向に平行にバーコードを有する形態、前記長手方向にらせん状に連続するバーコードを有する形態が例示できる。図９に、前記ケーブルにおけるケーブル部２２１の例を示す。図９（Ａ）に示すように、ケーブル部２２１は、その表面において、前記長手方向に平行に伸びるバーコード２２２を有している。バーコード２２２は、例えば、図９（Ａ）に示すように、ケーブル部２２１の全周囲のうち一部において、長手方向に平行に形成されてもよいし、ケーブル部２２１の全周囲において、長手方向に平行に形成されてもよい。また、図９（Ｂ）に示すように、ケーブル部２２１は、その表面において、前記長手方向にらせん状に連続するバーコードを有している。
【００７０】
前記ケーブル部２２１の表面において、前記識別コードは、例えば、プリントにより形成されてもよいし、シールの貼り付けにより形成されてもよい。前記コネクタケーブルの全長は、特に制限されない。
【００７１】
以上、実施形態を参照して本願発明を説明したが、本願発明は、上記実施形態に限定されるものではない。本願発明の構成や詳細には、本願発明のスコープ内で当業者が理解し得る様々な変更をすることができる。
【００７２】
＜付記＞
上記の実施形態および実施例の一部または全部は、以下の付記のように記載されうるが、以下には限られない。
（付記１）
接続される接続元の情報と接続先の情報とを紐づけして記憶する記憶部、
長手方向の全域に識別コードが付与されたケーブルと、前記ケーブルの一端に連結された接続元との、連結状態の画像情報を取得する画像取得部、
前記画像情報から、前記接続元を特定し、前記ケーブルの識別コードを抽出する、画像解析部、
前記特定した接続元の情報に紐付けされた前記接続先の情報を、前記ケーブルの他端を連結させる接続先として選択する選択部、および、
前記選択した接続先の情報を出力する出力部を含み、
前記記憶部は、前記接続元の情報および前記接続先の情報に、前記抽出した識別コードを紐づけして記憶する
ことを特徴とするコネクタケーブルの管理装置。
（付記２）
前記記憶部は、紐づけされた前記接続元の情報、前記接続先の情報、および前記抽出した識別コードを、結線データとして記憶する、付記１記載の管理装置。
（付記３）
前記画像取得部は、長手方向の全域に識別コードが付与された任意のケーブルの画像情報を取得し、
前記画像解析部は、前記画像情報から、前記ケーブルの識別コードを抽出し、
前記選択部は、前記抽出した識別コードが紐づけされた前記接続元の情報および前記接続先の情報の少なくとも一方を選択し、
前記出力部は、前記選択した接続元の情報および前記選択した接続先の情報の少なくとも一方を出力する、付記１または２記載のコネクタケーブルの管理装置。
（付記４）
さらに、判定部を含み、
前記画像取得部は、長手方向の全域に識別コードが付与された任意のケーブルの画像情報を取得し、
前記画像解析部は、前記画像情報から、前記ケーブルの識別コードを抽出し、
前記判定部は、前記抽出した識別コードが、特定のケーブルの識別コードか否かを判定し、
前記出力部は、前記抽出した識別コードが、前記特定のケーブルの識別コードである場合、前記画像のケーブルが、前記特定のケーブルであることを示す情報を出力する、付記１から３のいずれかに記載の管理装置。
（付記５）
前記出力部は、前記抽出した識別コードが、前記特定のケーブルの識別コードではない場合、前記特定のケーブルではないことを示すアラート情報を出力する、付記４記載の管理装置。
（付記６）
さらに、表示部を含み、
前記出力部は、前記情報を前記表示部に出力する、付記１から５のいずれかに記載の管理装置。
（付記７）
前記出力部は、前記情報を端末に出力する、付記１から６のいずれかに記載の管理装置。
（付記８）
付記１から７のいずれかに記載のコネクタケーブルの管理装置と、端末とを含み、
前記管理装置と前記端末とは、通信回線網を介して接続可能であり、
前記管理装置において、
前記出力部は、前記端末へ情報を送信する送信部であり、
前記端末は、
受信部と、表示部とを含み、
前記受信部は、前記管理装置から情報を受信し、
前記表示部は、前記受信した情報を表示することを特徴する管理システム。
（付記９）
前記管理装置において、前記出力部は、送受信部であり、前記端末へ情報を送信し、前記端末からの情報を受信し、
前記端末において、前記受信部は、送受信部であり、前記管理装置から情報を受信し、前記管理装置へ情報を送信する、付記８記載の管理システム。
（付記１０）
前記端末は、さらに、撮像部を含み、
前記撮像部は、被写体の画像を撮像し、
前記端末の送受信部は、撮像した前記画像の画像情報を、前記管理装置に送信し、
前記管理装置の送受信部は、前記端末から送信された前記画像情報を受信する、付記９記載の管理システム。
（付記１１）
前記端末は、さらに、アラート部を含み、
前記端末が、前記管理装置からアラート情報を受信すると、前記アラート部は、アラートを出力する、付記８から１０のいずれかに記載の管理システム。
（付記１２）
前記端末が、ポータブルデバイスである、付記８から１１のいずれかに記載の管理システム。
（付記１３）
前記ポータブルデバイスが、スマートフォン、携帯電話、タブレット、およびウェアラブルデバイスからなる群から選択された少なくとも一つである、付記１２記載の管理システム。
（付記１４）
前記ウェアラブルデバイスが、ゴーグルである、付記１３記載の管理システム。
（付記１５）
接続される接続元の情報と接続先の情報とを紐づけして記憶する記憶工程、
長手方向の全域に識別コードが付与されたケーブルと、前記ケーブルの一端に連結された接続元との、連結状態の画像情報を取得する画像取得工程、
前記画像情報から、前記接続元を特定し、前記ケーブルの識別コードを抽出する、画像解析工程、
前記特定した接続元の情報に紐づけされた前記接続先の情報を、前記ケーブルの他端を連結させる接続先として選択する選択工程、および、
前記選択した接続先の情報を出力する出力工程を含み、
前記記憶工程は、前記接続元の情報および前記接続先の情報に、前記抽出した識別コードを紐づけして記憶する
ことを特徴とするコネクタケーブルの管理方法。
（付記１６）
前記記憶工程は、紐づけされた前記接続元の情報、前記接続先の情報、および前記抽出した識別コードを、結線データとして記憶する、付記１５記載の管理方法。
（付記１７）
前記画像取得工程は、長手方向の全域に識別コードが付与された任意のケーブルの画像情報を取得し、
前記画像解析工程は、前記画像情報から、前記ケーブルの識別コードを抽出し、
前記選択工程は、前記抽出した識別コードが紐づけされた前記接続元の情報および前記接続先の情報の少なくとも一方を選択し、
前記出力工程は、前記選択した接続元の情報および前記選択した接続先の情報の少なくとも一方を出力する、付記１５または１６記載のコネクタケーブルの管理方法。
（付記１８）
さらに、判定工程を含み、
前記画像取得工程は、長手方向の全域に識別コードが付与された任意のケーブルの画像情報を取得し、
前記画像解析工程は、前記画像情報から、前記ケーブルの識別コードを抽出し、
前記判定工程は、前記抽出した識別コードが、特定のケーブルの識別コードか否かを判定し、
前記出力工程は、前記抽出した識別コードが、前記特定のケーブルの識別コードである場合、前記画像のケーブルが、前記特定のケーブルであることを示す情報を出力する、付記１５から１７のいずれかに記載の管理方法。
（付記１９）
前記出力工程は、前記抽出した識別コードが、前記特定のケーブルの識別コードではない場合、前記特定のケーブルではないことを示すアラート情報を出力する、付記１８記載の管理方法。
（付記２０）
前記出力工程は、前記情報を、表示部に出力する、付記１５から１９のいずれかに記載の管理方法。
（付記２１）
前記出力工程は、前記情報を、端末に出力する、付記１５から２０のいずれかに記載の管理方法。
（付記２２）
前記端末が、ポータブルデバイスである、付記２１記載の管理方法。
（付記２３）
前記ポータブルデバイスが、スマートフォン、携帯電話、タブレット、およびウェアラブルデバイスからなる群から選択された少なくとも一つである、付記２２記載の管理方法。
（付記２４）
前記ウェアラブルデバイスが、ゴーグルである、付記２３記載の管理方法。
（付記２５）
付記１から７のいずれかに記載の管理装置または付記８から１４のいずれかに記載の管理システムにより実行する、付記１５からの２４いずれかに記載の管理方法。
（付記２６）
付記１５から２５のいずれかに記載のコネクタケーブルの管理方法をコンピュータに実行させることを特徴とするプログラム。
（付記２７）
付記２６記載のプログラムを記録したコンピュータ読み取り可能な記録媒体。
（付記２８）
ケーブル部と一対の端子とを備え、
前記ケーブル部の両端に、それぞれ前記端子が連結し、
前記ケーブル部の長手方向の全域に、画像により識別可能な識別コードを有することを特徴とするコネクタケーブル。
（付記２９）
前記識別コードが、バーコードであり、
前記ケーブル部の表面において、前記長手方向に平行に伸びるバーコードを有している、付記２８記載のコネクタケーブル。
（付記３０）
前記識別コードが、バーコードであり、
前記ケーブル部の表面において、前記長手方向にらせん状に連続するバーコードを有している、付記２８または２９記載のコネクタケーブル。
【産業上の利用可能性】
【００７３】
本発明によれば、例えば、長手方向の全域に識別コードが付与されたケーブルの画像を利用することによって、より簡便に、ケーブルと、前記ケーブルの接続元および接続先を特定できる。このため、例えば、現場において、作業者が一本一本ケーブルをつかみ、手繰り寄せていくことで、接続先を確認する等の労力を回避できる。
【符号の説明】
【００７４】
１、２    コネクタケーブルの管理装置（システム）
１１    記憶部
１２    画像取得部
１３    画像解析部
１４    選択部
１５    出力部
１６    判定部
１０１    記憶装置
１０２    ＣＰＵ
１０３    入出力インターフェイス（Ｉ／Ｆ）
１０４    ディスプレイ
１０５    通信デバイス
１１１    接続元情報
１１２    接続先情報
１１３    ケーブル（識別コード）情報
３    通信回線網
４    端末
４１    ゴーグル
４２    スマートフォン
２０    接続元
２１    接続先
２２    コネクタケーブル
２２１    ケーブル部
２２２    バーコード
【図１】
2019174956.tif 000003
【図２】
2019174956.tif 000004
【図３】
2019174956.tif 000005
【図４】
2019174956.tif 000006
【図５】
2019174956.tif 000007
【図６】
2019174956.tif 000008
【図７】
2019174956.tif 000009
【図８】
2019174956.tif 000010
【図９】
2019174956.tif 000011